(57)【要約】【課題】載置することのできるピザ等の食品の大きさが大きく、加熱調理のときの作業性が良く、さらに安定感の良い電子レンジ用トレイ、食品包装体及び前記電子レンジ用トレイの製造方法を提供する。【解決手段】食品を載置して電子レンジでの加熱調理に用いる電子レンジ用トレイ１であって、前記食品が載置される底面部２と、前記底面部２を囲む側面部３と、前記底面部３の所定の周縁部３１から上方に延伸する第一側面部４と、前記第一側面部４間に位置する第二側面部５と、前記第二側面部５側に設けられた、前記底面部２の端部２１を下方に曲げさらに前記端部２１の縁部２２を上方に曲げることにより前記底面部３を底上げする脚部６と、を備え、前記側面部３は前記第一側面部４の端４１と前記第二側面部５の端５１とを接合することにより構成されていることを特徴とする。【選択図】    図３
2005350079.tif 000002
【特許請求の範囲】
【請求項１】
食品を載置して電子レンジでの加熱調理に用いる電子レンジ用トレイであって、
前記食品が載置される底面部と、
前記底面部を囲む側面部と、
前記底面部の所定の周縁部から上方に延伸する第一側面部と、
前記第一側面部間に位置する第二側面部と、
前記第二側面部側に設けられた、前記底面部の端部を下方に曲げさらに前記端部の縁部を上方に曲げることにより前記底面部を底上げする脚部と、
を備え、
前記側面部は前記第一側面部の端と前記第二側面部の端とを接合することにより構成されていることを特徴とする電子レンジ用トレイ。
【請求項２】
前記第一側面部は取っ手部を有することを特徴とする請求項１記載の電子レンジ用トレイ。
【請求項３】
前記取っ手部を完全に折り曲げて前記第一側面部の裏側で接着されていることを特徴とする請求項２記載の電子レンジ用トレイ。
【請求項４】
前記底面部に電子レンジ発熱体を備えたことを特徴とする請求項１乃至３いずれかに記載の電子レンジ用トレイ。
【請求項５】
前記側面部に電子レンジ発熱体を備えたことを特徴とする請求項１乃至４いずれかに記載の電子レンジ用トレイ。
【請求項６】
前記脚部の高さは３〜５０ミリメートルであることを特徴とする請求項１乃至５いずれかに記載の電子レンジ用トレイ。
【請求項７】
請求項１乃至６いずれかに記載の電子レンジ用トレイに、加熱により最適化される食品を積載し、包装手段で包装したことを特徴とする食品包装体。
【発明の詳細な説明】
【技術分野】
【０００１】
本発明は、例えば、ピザ等の食品を載置して電子レンジでの加熱調理に用いる電子レンジ用トレイ及び食品包装体に関する。
【背景技術】
【０００２】
従来から、ピザ等の食品を載置して電子レンジでの加熱調理に用いる電子レンジ用トレイが知られている。
【０００３】
トレイの底面を電子レンジのテーブルの上に直に置いて加熱調理を行うと、加熱ムラが生じて、食品が均一に加熱されにくい。また、局所的に、過剰に加熱されたり、逆に加熱が不足する部分が発生しやすい。
【０００４】
特に、食品の上面部付近は過加熱される傾向があり、例えば、ピザの場合、上面に配置されたチーズやトッピングの吹きこぼれの原因となっている。この吹きこぼれをなくすために、調理時間を短くすると、底部のピザクラストのクリスピー感が喪失してしまう。
【０００５】
他方、トレイの底面近くの食品は、加熱が不足する傾向がある。この加熱不足をなくするためには、トレイに脚部を設けて底上げすることが考えられる。
【０００６】
例えば、特許文献１には、ワンタッチで製作可能な、紙製の円形台板を引き上げる台下の足板を設けた電子レンジ用の円形加熱台が開示されている。
【０００７】
また、特許文献２には、トレイを支承する足を形成した電子レンジ用足付きカートンが開示されている。
【０００８】
また、特許文献３には、組み立てることにより、底部に空間が作られた電子レンジ用カートンが開示されている。
【特許文献１】特開平８−２９５３７２号
【特許文献２】実公平８−６７４３号
【特許文献３】特開２００２−３７０７３４号
【発明の開示】
【発明が解決しようとする課題】
【０００９】
しかし、上記した従来技術では、組み立てが必ずしも容易ではないため、加熱調理のとき組み立てに時間がかかり作業性が悪いという問題点があった。さらに、載置することのできるピザ等の食品の大きさが小さい点、縁（外周側面）がない部分がある場合、流動性の積載物がトレーから漏れる危険性がある点及び輸送時の強度不足の問題点があった。また、組み立て後の電子レンジ用トレイの安定感が良くないという問題点があった。
【００１０】
そこで、本発明は、上記問題点を解決するためになされたもので、載置することのできるピザ等の食品の大きさが大きく、加熱調理のときの作業性が良く、さらに安定感の良い電子レンジ用トレイ及び食品包装体を提供することを目的とする。
【課題を解決するための手段】
【００１１】
上記目的を達成するために、請求項１に係る発明は、食品を載置して電子レンジでの加熱調理に用いる電子レンジ用トレイであって、前記食品が載置される底面部と、前記底面部を囲む側面部と、前記底面部の所定の周縁部から上方に延伸する第一側面部と、前記第一側面部間に位置する第二側面部と、前記第二側面部側に設けられた、前記底面部の端部を下方に曲げさらに前記端部の縁部を上方に曲げることにより前記底面部を底上げする脚部と、を備え、前記側面部は前記第一側面部の端と前記第二側面部の端とを接合することにより構成されていることを特徴とする電子レンジ用トレイを提供する。
【００１２】
上記構成によれば、底面部を底上げする脚部が既に出来上がっているので、顧客は組み立ての必要がなくそのまま電子レンジに入れるだけで適度に加熱できるので作業性が良い。
【００１３】
請求項２に係る発明は、前記第一側面部は取っ手部を有することを特徴とする請求項１記載の電子レンジ用トレイを提供する。
【００１４】
上記構成によれば、電子レンジ用トレイは取っ手部を有しているので、持ち運びに便利である。
請求項３に係る発明は、前記取っ手部を完全に折り曲げて前記第一側面部の裏側で接着されていることを特徴とする請求項２記載の電子レンジ用トレイを提供する。
上記構成によれば、第一側面部が頑丈になるので、振動等に強い電子レンジ用トレイを提供することができる。
【００１５】
請求項４に係る発明は、前記底面部に電子レンジ発熱体を備えたことを特徴とする請求項１乃至３記載の電子レンジ用トレイを提供する。
【００１６】
上記構成によれば、前記底面部に電子レンジ発熱体を備えているので、内部の食品の底部も均一に加熱され加熱ムラが生じにくくなる。
【００１７】
請求項５に係る発明は、前記側面部に電子レンジ発熱体を備えたことを特徴とする請求項１乃至４記載の電子レンジ用トレイを提供する。
【００１８】
上記構成によれば、前記側面部に電子レンジ発熱体を備えているので、内部の食品の側部も均一に加熱され加熱ムラが生じにくくなる。
【００１９】
請求項６に係る発明は、前記脚部の高さは３〜５０ミリメートルであることを特徴とする請求項１乃至５記載の電子レンジ用トレイを提供する。
【００２０】
上記構成によれば、脚部の高さは３〜５０ミリメートルであるので、内部の食品の底部も均一に加熱され加熱ムラが生じにくくなる。
【００２１】
請求項７に係る発明は、請求項１乃至６に記載の電子レンジ用トレイに、加熱により最適化される食品を積載し、包装手段で包装したことを特徴とする食品包装体を提供する。
【００２２】
上記構成によれば、顧客はこの食品包装体を電子レンジに入れるだけで調理可能なので極めて作業性が良く便利である。
【発明の効果】
【００２３】
載置することのできるピザ等の食品の大きさが大きく、加熱調理のときの作業性が良く、さらに安定感の良い電子レンジ用トレイ、食品包装体及び前記電子レンジ用トレイの製造方法を提供することができる。
【発明を実施するための最良の形態】
【００２４】
本発明の実施の形態を実施例に基づき、図面を参照して説明する。
【実施例１】
【００２５】
本発明の第１実施例に係る電子レンジ用トレイを図１乃至図３を参照しつつ説明する。
【００２６】
図１は、本発明の第１実施例に係る電子レンジ用トレイの展開図、図２は、本発明の第１実施例に係る電子レンジ用トレイの製造過程を示す一部斜視図で、（ａ）は第一側面部を底面部に対し略直角に曲げる過程、（ｂ）は底面部の端部を下方に曲げさらに端部の縁部を上方に曲げることにより底面部を底上げする脚部を製造する過程及び（ｃ）は第二側面部の翼部を内側に折り曲げ、第一側面部の端と第二側面部の端とを接合することにより側面部を製造する過程を示す。図３は、本発明の第１実施例に係る電子レンジ用トレイの斜視図を示す。
【００２７】
図３に示されるように、本発明の第1実施例に係る電子レンジ用トレイ１は、主に、底面部２、この底面部を持ち上げる脚部６、側面部３を構成する第一側面部４及び第二側面部５を有している。材質は紙が用いられ、本実施例では、耐水紙（３５０グラム毎平方メートル）を用いている。この電子レンジ用トレイ１の詳細な構成を明確にするために、図１及び図２を用いて、この電子レンジ用トレイ１の製造過程を説明する。
【００２８】
図１に示されるように、本発明の第1実施例に係る電子レンジ用トレイ１の展開図は、略正方形の略平板状の用紙を切り抜くことにより作成される。図面上、実線は切り抜き線、点線は折れ目線である。本発明の第1実施例に係る電子レンジ用トレイ１の展開図は、上下左右対称な形状をしているので、脚部６及び側面部３が各々４つ存在する。
【００２９】
まず、電子レンジ発熱体が底面部２に貼り付けられる。その後、底面部２の所定の周縁部３１から上方に延伸される、図面上、上下左右方向の部位に第一側面部４が設けられている。図２（ａ）に示されるように、この第一側面部４は、側面部用第一折れ目線２３に沿って略直角方向に曲げることにより、底面部２に対し上方に延伸する側面部３の一部を構成することになる。本件実施例では、上下左右方向に４箇所、このような側面部３が形成される。
【００３０】
次に、脚部用第一折れ目線２４に沿って端部２１を図１上奥側に折り曲げ、脚部用第二折れ目線２５に沿って縁部２２を図１上手前側に折り曲げることにより脚部６が製造される。本件実施例では、この脚部６は１０ミリメートルの高さを有している。尚、脚部６の高さは、３〜５０ミリメートルが好ましい。
【００３１】
上記４つの第一側面部４間には、第二側面部５が形成される。第二側面部５は、電子レンジ用トレイ１の角に位置している。第二側面部５は、主に縁部２２及び翼部５０を有している。図２（ｃ）に示されるように、側面部用第二折れ目線２６に沿って翼部５０を図１上手前側に折り曲げる。
【００３２】
その後、第一側面部４の端４１と第二側面部５の端５１とを接合することにより、側面部３が製造され、最終的に電子レンジ用トレイ１が完成することになる。
【００３３】
その後、冷凍ピザを２枚組にして載置され包装手段で包装され食品包装体として出荷されることになる。尚、電子レンジ発熱体は側面部３に又は底面部２と側面部３の両方に貼り付けてもよい。また、製造方法は上記方法には限られない。
【００３４】
次に、上記構成を有する本発明の第1実施例に係る電子レンジ用トレイ１の作用を説明する。
【００３５】
顧客が上記食品包装体を購入後、電子レンジでピザを温める場合、この食品包装体の中からピザを取り出し、シュリンクフィルムのフィルムを外し、ピザを電子レンジ用トレイ１に載置し、その後電子レンジに挿入するだけでピザを適度に温めることができる。即ち、上記食品包装体における電子レンジ用トレイ１は、上述の如く、底面部２を持ち上げる脚部６を有しているので、顧客は何らの組み立ても要せず、そのまま電子レンジに挿入するだけでピザを適度に温めることができる。さらに、底面部２を持ち上げる脚部６が設けられているのでピザの底部も適度に温められピザの底部のピザクラストのクリスピー感が醸成され、さらに均一な加熱が出来、加熱ムラがなくなる。さらに底面部２に電子レンジ発熱体が貼り付けられているので、確実に均一な加熱が出来、加熱ムラがなくなる。
【実施例２】
【００３６】
次に、本発明の第２実施例に係る電子レンジ用トレイを図４乃至図５を参照しつつ説明する。図４は、本発明の第２実施例に係る電子レンジ用トレイの展開図、
図５は、本発明の第２実施例に係る電子レンジ用トレイの斜視図を示す。
【００３７】
本発明の第２実施例に係る電子レンジ用トレイ１は、第１実施例と異なり、半円状の取っ手部４４が対向する２つの第一側面部４に設けられている。
【００３８】
本発明の第２実施例に係る電子レンジ用トレイ１の基本的な製造方法は、実施例１に係る電子レンジ用トレイ１と同様であるが、最終工程で２つある四角形状の取っ手部４２を点線４３で完全に折り曲げて第一側面部４の裏側で接着するとともに、２つの半円状の取っ手部４４を点線４３で約９０度だけ外側に折り曲げることにより形成する。従って、本発明の第２実施例に係る電子レンジ用トレイ１は取っ手部４４ができるため持ち運びに便利であるとともに、２つある四角形状の取っ手部４２を点線４３で完全に折り曲げて第一側面部４の裏側で接着するので第一側面部４が頑丈な構成となり流通過程において振動等に強い電子レンジ用トレイ１が製造できる。尚、上記四角形状の取っ手部４２と上記半円状の取っ手部４４とを逆にすることも可能である。即ち、上記半円状の取っ手部４４を点線４３で完全に折り曲げて第一側面部４の裏側で接着するとともに、上記四角形状の取っ手部４２を点線４３で約９０度だけ外側に折り曲げることも可能である。
【実施例３】
【００３９】
次に、本発明の第３実施例に係る電子レンジ用トレイを図６乃至図７を参照しつつ説明する。図６は、本発明の第３実施例に係る電子レンジ用トレイの展開図を示し、図７は、本発明の第３実施例に係る電子レンジ用トレイの斜視図を示す。
本発明の第３実施例に係る電子レンジ用トレイ１は、第１実施例や第２実施例と異なり、側面部等の形状を変えていることである。具体的には、第二側面部５の翼部５０の外形線を実線５２及び５３で示されるように、切り欠きを入れた形状としている。また、第二側面部５の端５１と第一側面部４の端４１との接触線を実線５４に示すように内側に持ってきている。また、底面部２には、電子レンジ発熱体が貼り付けられている。基本的な製造方法は第一実施例に係る電子レンジ用トレイと同様である。
【００４０】
本発明の第３実施例に係る電子レンジ用トレイ１は、上述の如く、第二側面部５に切り欠きがあるので、製造工程において搬送が容易である。また、電子レンジ用トレイ１の外形の凹凸により装飾感も優れている。
【図面の簡単な説明】
【００４１】
【図１】本発明の第１実施例に係る電子レンジ用トレイの展開図
【図２】本発明の第１実施例に係る電子レンジ用トレイの製造過程を示す一部斜視図で、（ａ）は第一側面部を底面部に対し略直角に曲げる過程、（ｂ）は底面部の端部を下方に曲げさらに端部の縁部を上方に曲げることにより底面部を底上げする脚部を製造する過程及び（ｃ）は第二側面部の翼部を内側に折り曲げ、第一側面部の端と第二側面部の端とを接合することにより側面部を製造する過程を示す。
【図３】本発明の第１実施例に係る電子レンジ用トレイの斜視図
【図４】本発明の第２実施例に係る電子レンジ用トレイの展開図
【図５】本発明の第２実施例に係る電子レンジ用トレイの斜視図
【図６】本発明の第３実施例に係る電子レンジ用トレイの展開図
【図７】本発明の第３実施例に係る電子レンジ用トレイの斜視図
【符号の説明】
【００４２】
１  電子レンジ用トレイ
２  底面部
２１  端部
２２  縁部
２３  側面部用第一折れ目線
２４  脚部用第一折れ目線
２５  脚部用第二折れ目線
２６  側面部用第二折れ目線
３  側面部
３１  周縁部
４  第一側面部
４１  端
４２  四角形状の取っ手部
４４  半円状の取っ手部
５  第二側面部
５０  主部
５１  端
６  脚部
７  電子レンジ発熱体
【図１】
2005350079.tif 000003
【図２】
2005350079.tif 000004
【図３】
2005350079.tif 000005
【図４】
2005350079.tif 000006
【図５】
2005350079.tif 000007
【図６】
2005350079.tif 000008
【図７】
2005350079.tif 000009